(57)【要約】【課題】  従来の移動式水洗トイレ装置においては、収納ケース自体が完全に床に固定されているため、収納ケースを撤去する場合や設置場所を変更したい場合（例えば部屋の右端から左端に移動する場合）等に手間がかかるという問題がある。そこで、従来よりも軽量で撤去しやすい移動式水洗トイレ装置を提供することを目的とする。【解決手段】  給水ホース及び排水ホースを接続した大便器と、前記大便器を覆うように設置された収納ケースと、前記大便器下部に移動部を備える移動式水洗トイレ装置であって、前記収納ケースは直方体状のフレーム本体と、前記フレーム本体の上部をふさぐように設置された開閉可能な蓋部と、前記フレーム本体の正面部をふさぐように設置された開閉可能なビニール製カーテンとから構成されていることを特徴とする。【選択図】  図１
2011208359.tif 000002
【特許請求の範囲】
【請求項１】
給水ホース及び排水ホースを接続した大便器と、
前記大便器を覆うように設置された収納ケースと、
前記大便器下部に移動部を備える移動式水洗トイレ装置であって、
前記収納ケースは直方体状のフレーム本体と、
前記フレーム本体の上部をふさぐように設置された開閉可能な蓋部と、
前記フレーム本体の正面部をふさぐように設置された開閉可能なビニール製カーテンとから構成されており、
前記直方体状のフレーム本体の正面側上部には２本のフレームが突出しており、
前記フレーム本体の両側面と背面には右側面プレート、左側面プレート、背面プレートがそれぞれ取り付けられており、
前記蓋部は蓋部前方側プレートと、蓋部後方側プレートと、カーテンレールと、蝶番から構成されており、
前記蓋部は蝶番を介して２枚に折れ曲がる構成になっており、
前記蓋部前方側プレートには前記カーテンレールを介して、前記ビニール製のカーテンが取り付けられていることを特徴とする移動式水洗トイレ装置。
【請求項２】
請求項１に記載の移動式水洗トイレ装置であって、
前記給水ホースの先端の口及び前記排水ホースの先端の口は壁又は床に設置された給水用接続口及び排水用接続口にそれぞれ簡易接続されており、
前記排水ホースの先端付近には水圧によって伸縮するドーナツ形状のゴム袋部が前記排水ホースを覆うように固定されており、
前記ゴム袋部はゴム袋、加圧用ホース、減圧用ホース、繋ぎホース及び３方弁で構成され、
前記３方弁の各方向に前記加圧用ホース、前記減圧用ホース、前記繋ぎホースが接続され、
前記繋ぎホースの片側は前記ゴム袋内部に接続され、
前記減圧用ホースの片側は前記排水ホースの先端付近に設けた穴を通し、前記排水ホースの内部に接続されていることを特徴とする移動式水洗トイレ装置。
【発明の詳細な説明】
【技術分野】
【０００１】
本発明は、身体不自由な人や患者が家庭、病院等において使用する移動式水洗トイレに関する。
【背景技術】
【０００２】
従来、身体不自由な人や患者は、家庭、病院等においては、腰掛けて使用できる移動可能な便器が一般的に用いられている。
【０００３】
上記従来の便器は使用後の洗浄、防臭、換気等のために、介護人の大変な手間を必要とするという問題点がある。当該問題を解決すべく、例えば特許文献１や特許文献２などがある。
【０００４】
特許文献１に記載された移動式水洗トイレ装置では使用後は自動的に洗浄できるようにして、介護人の手間の掛からないようにすると共にトイレの設置箇所を自在に選択することが可能となる。
【０００５】
特許文献２に記載された移動式水洗トイレ装置では破砕付き水中ポンプを有することで、容易に移動可能となる。
【先行技術文献】
【特許文献】
【０００６】
【特許文献１】特開平９−２０１３８５号公報
【特許文献２】特開２００６−３４２６５２号公報
【特許文献３】特開２００２−３４８５４号公報
【発明の概要】
【発明が解決しようとする課題】
【０００７】
しかしながら特許文献１に記載の移動式水洗トイレ装置においては、収納ケース自体が完全に床に固定されているため、収納ケースを撤去する場合や設置場所を変更したい場合（例えば部屋の右端から左端に移動する場合）等に手間がかかるという問題がある。
【０００８】
また特許文献２に記載の移動式水洗トイレ装置においては、破砕機付き水中ポンプを有しているため、装置全体として重くなってしまう。さらに定期的に排水処理をしなければならないので、手間がかかる。
【０００９】
そこで、本発明は、このような問題を解決するためになされたもので、従来よりも軽量で撤去しやすい移動式水洗トイレ装置を提供することを目的とする。
【課題を解決するための手段】
【００１０】
（１）請求項１に係る移動式水洗トイレ装置は、
給水ホース及び排水ホースを接続した大便器と、
前記大便器を覆うように設置された収納ケースと、
前記大便器下部に移動部を備える移動式水洗トイレ装置であって、
前記収納ケースは直方体状のフレーム本体と、
前記フレーム本体の上部をふさぐように設置された開閉可能な蓋部と、
前記フレーム本体の正面部をふさぐように設置された開閉可能なビニール製カーテンとから構成されており、
前記直方体状のフレーム本体の正面側上部には２本のフレームが突出しており、
前記フレーム本体の両側面と背面には右側面プレート、左側面プレート、背面プレートがそれぞれ取り付けられており、
前記蓋部は蓋部前方側プレートと、蓋部後方側プレートと、カーテンレールと、蝶番から構成されており、
前記蓋部は蝶番を介して２枚に折れ曲がる構成になっており、
前記蓋部前方側プレートには前記カーテンレールを介して、前記ビニール製のカーテンが取り付けられていることを特徴とする。
【００１１】
前記移動部はキャスターとゴムストッパーで構成することが好ましい。前記キャスターは前記フレーム本体底面の排水ホース側付近に取り付け、前記ゴムストッパーは前記フレーム本体底面の排水ホースとは反対側の付近に取り付けることがさらに好ましい。
【００１２】
前記フレーム本体の材質としてはアルミ又は木材が好ましい。
【００１３】
前記排水ホースは内径７５ｍｍ程度、長さは３００ｍｍ〜４０００ｍｍ程度が好ましく、柔軟なホースである。
【００１４】
前記大便器にある前記排水ホースの接続口中心高さは床から１５０ｍｍ程度が好ましい。
【００１５】
（２）請求項２に係る移動式水洗トイレ装置は、
請求項１に記載の移動式水洗トイレ装置であって、
前記給水ホースの先端の口及び前記排水ホースの先端の口は壁又は床に設置された給水用接続口及び排水用接続口にそれぞれ簡易接続されており、
前記排水ホースの先端付近には水圧によって伸縮するドーナツ形状のゴム袋部が前記排水ホースを覆うように固定されており、
前記ゴム袋部はゴム袋、加圧用ホース、減圧用ホース、繋ぎホース及び３方弁で構成され、
前記３方弁の各方向に前記加圧用ホース、前記減圧用ホース、前記繋ぎホースが接続され、
前記繋ぎホースの片側は前記ゴム袋内部に接続され、
前記減圧用ホースの片側は前記排水ホースの先端付近に設けた穴を通し、前記排水ホースの内部に接続されていることを特徴とする。
【００１６】
前記ゴム袋内の水圧の供給源としては前記移動式水洗トイレ装置に使用する上水を使用するのが好ましい。また前記給水ホースから分岐するのが好ましい。
【発明の効果】
【００１７】
本発明は、以上のように構成されることにより次の効果を奏する。
（Ａ）請求項１では前記収納ケース自体が移動部の上に設置されているため、容易に移動することができ、撤去にも手間がかからない。具体的には前記フレーム本体の突出部を両手で持ち上げることで、前記フレーム本体を傾け、前記キャスターのみで装置重量を支えるようにすることで、移動可能となる。トイレ使用時には前記フレーム本体は傾けていないため、前記ゴムストッパーが床と密着し、装置は固定される。さらに前記フレーム本体の突出部は手すりとして使用できる。
【００１８】
（Ｂ）また、前記蓋部前方側プレートには前記カーテンレールを介して、前記ビニール製のカーテンが取り付けられていることを特徴とする。前記カーテンを前記収納ケース右側（左側）方向に引くことで前記カーテン全体が前記収納ケース右側（左側）方向に束ねられ、さらに前記蓋部前方側プレートを前記収納ケース後方に押し上げることでトイレが使用できる状態となり、容易に収納ケースの開閉が行える。右利きの使用者は右手のみを使用して開閉が行え、左利きの使用者は左手のみ使用して開閉が行えることになる。
【００１９】
（Ｃ）また、前記カーテンを使用することで、前記フレーム本体の突出部や前記フレーム本体からはみ出している大便器の部分を柔軟に覆うことができる。これによって部屋の中にトイレがあることを意識させず、精神的なストレスを解消することができる。
【００２０】
請求項２では上記効果に加え次の効果を奏する。
（Ｄ）前記排水ホースの先端付近には水圧によって伸縮するドーナツ形状のゴム袋部が前記排水ホースを覆うように固定されていることを特徴とする。前記排水ホースの先端を前記排水用接続口に差し込み、前記ゴム袋内の水圧を高めることで、前記排水用接続口の内面に前記ゴム袋の外面が密着し、容易に前記排水ホースと前記排水用接続口を固定することができる。
【００２１】
（Ｅ）また、前記ゴム袋内の水圧を弱めることで、前記排水用接続口から前記排水ホースを取り外すことができる。そのため装置自体の撤去がさらに容易となる。
【００２２】
（Ｆ）さらに、トイレ設置時には前記排水用接続口の内面に前記ゴム袋の外面が密着しているため、防臭効果も期待できる。
【００２３】
（Ｇ）さらに、ポンプ等を有する必要がないので、軽量化できる。
【００２４】
（Ｈ）さらに、３方弁を切換ることにより、容易に前記ゴム袋内の水圧を加圧及び減圧することができる。また減圧時に前記ゴム袋内に溜まった水は前記減圧用ホースを介し、排水ホース内に送られるので、別途減圧用の排水処理に手間がかからない。
【００２５】
（Ｉ）前記排水用接続口に機械的な仕掛けを施すことで前記排水用接続口から前記排水ホースを容易に脱着させることも考えられるが、配管断面積を維持しつつ、機械的な仕掛けを施すと前記排水用接続口の外径が大きくなる。前記排水用接続口の施工には床又は壁に一部穴を開ける必要があるため、前記排水ホース側のみに仕掛け（ゴム袋部）を有することで最少の穴での施工が可能になる。
【００２６】
以上の通り、従来よりも軽量で撤去しやすい移動式水洗トイレ装置が実現された。
【図面の簡単な説明】
【００２７】
【図１】実施例１に係る移動式水洗トイレ装置１００を説明するために示す斜視図である。
【図２】実施例１に係る移動式水洗トイレ装置１００を説明するために示す背面図である。
【図３】実施例１に係る移動式水洗トイレ装置１００を説明するために示す左側面図である。
【図４】実施例１に係る移動式水洗トイレ装置１００の可動状態を説明するために示す図である。
【図５】変形例に係る蓋部後方側プレート３５２、蓋部前方側プレート３５４を説明するために示す図である。
【図６】実施例２に係る移動式水洗トイレ装置１１０を説明するために示す斜視図及びゴム袋部の拡大図である。
【図７】実施例２及び実施例３に係る移動式水洗トイレ装置１１０、１２０のゴム袋部２００を説明するために示す図である。
【図８】変形例に係るゴム袋５０、５２、５４、５６を説明するために示す図である。
【図９】実施例３に係る移動式水洗トイレ装置１２０を説明するために示す斜視図及びゴム袋部の拡大図である。
【発明を実施するための形態】
【００２８】
以下、本発明の実施の形態について、図面を参照しながら説明する。
【実施例１】
【００２９】
図１は実施例１に係る移動式水洗トイレ装置１００を説明するために示す図である。
図２は実施例１に係る移動式水洗トイレ装置１００を説明するために示す背面図である。
図３は実施例１に係る移動式水洗トイレ装置１００を説明するために示す左側面図である。
【００３０】
実施例１に係る移動式水洗トイレ装置１００は、図１に示すように、給水ホース２０及び排水ホース３０を接続した大便器１０と、大便器１０を覆うように設置された収納ケースと、大便器１０下部に移動部を備える。
【００３１】
さらに収納ケースは直方体状のフレーム本体３１０と、フレーム本体３１０の上部をふさぐように設置された開閉可能な蓋部と、フレーム本体３１０の正面部をふさぐように設置された開閉可能なビニール製カーテン３２８とから構成されている。
【００３２】
さらに直方体状のフレーム本体３１０の正面側上部には２本のフレームが突出しており、
図１、図２に示すように、フレーム本体３１０の両側面と背面には右側面プレート３１４、左側面プレート３１２、背面プレート３１６がそれぞれ取り付けられている。
【００３３】
さらに蓋部は蓋部前方側プレート３２０と、蓋部後方側プレート３２２と、カーテンレール３２６と、蝶番３２４から構成されており、蓋部は蝶番３２４を介して２枚に折れ曲がる構成になっており、蓋部前方側プレート３２０にはカーテンレール３２６を介して、ビニール製のカーテン３２８が取り付けられている。
【００３４】
図３に示すように、移動部はキャスター３３２とゴムストッパー３３０で構成されている。キャスター３３２はフレーム本体３１０の底面の排水ホース側付近に取り付けられており、ゴムストッパー３３０はフレーム本体３１０の底面の排水ホースとは反対側の付近に取り付けられている。
【００３５】
フレーム本体３１０はアルミフレームを利用する。
【００３６】
排水ホース３０は内径７５ｍｍ程度、長さは３００ｍｍ〜４０００ｍｍ程度であり、柔軟なホースである。
【００３７】
大便器１０にある排水ホース３０の接続口中心高さは床から１５０ｍｍ程度である。
【００３８】
実施例１に係る移動式水洗トイレ１００の蓋部前方側プレート３１０と蓋部後方側プレート３２２は単純な薄板形状をしているが、本発明はこれに限定されるものではない。図５は変形例に係る蓋部後方側プレート３５２、蓋部前方側プレート５４を説明するために示す図である。図５に示すように、所々に空間のあいた薄板形状を有していても良い。
【００３９】
以上のように構成された実施例１に係る移動式水洗トイレ１００によれば、
（Ａ）収納ケース自体が移動部の上に設置されているため、容易に移動することができ、撤去にも手間がかからない。具体的には前記フレーム本体３１０の突出部を両手で持ち上げることで、フレーム本体３１０を傾け、キャスター３３２のみで装置重量を支えるようにすることで、移動可能となる。トイレ使用時にはフレーム本体３１０は傾けていないため、ゴムストッパー３３０が床と密着し、装置は固定される。さらにフレーム本体３１０の突出部は手すりとして使用できる。
【００４０】
（Ｂ）また、蓋部前方側プレート３２０にはカーテンレール３２６を介して、ビニール製のカーテン３２８が取り付けられていることを特徴とする。図４は実施例１に係る移動式水洗トイレ装置１００の可動状態を説明するために示す図である。図４（a）は移動式水洗トイレ装置１００の収納時を示す図であり、図４（b）は移動式水洗トイレ装置１００の使用時を示す図である。図４に示すように、カーテン３２８を収納ケース右側（左側）方向に引くことでカーテン３２８全体が収納ケース右側（左側）方向に束ねられ、さらに蓋部前方側プレート３２０を収納ケース後方に押し上げることでトイレが使用できる状態となり、容易に収納ケースの開閉が行える。右利きの使用者は右手のみを使用して開閉が行え、左利きの使用者は左手のみを使用して開閉が行えることになる。
【００４１】
（Ｃ）また、カーテン３２８を使用することで、フレーム本体３１０の突出部やフレーム本体３１０からはみ出している大便器１０の部分を柔軟に覆うことができる。これによって部屋の中にトイレがあることを意識させず、精神的なストレスを解消することができる。
【００４２】
（Ｇ）さらに、ポンプ等を有する必要がないので、軽量化できる。
【００４３】
以上の通り、従来よりも軽量で撤去しやすい移動式水洗トイレ装置１００が実現された。
【実施例２】
【００４４】
図６は、実施例２に係る移動式水洗トイレ装置１１０を説明するために示す斜視図及びゴム袋部の拡大図である。
図７は、実施例２に係る移動式水洗トイレ装置１１０のゴム袋部２００を説明するために示す図である。図７（b）はゴム袋部２００の断面図であり、図７（a）はゴム袋部２００の斜視図である。
【００４５】
実施例２に係る移動式水洗トイレ装置１１０は、図６に示すように、
実施例１に記載の移動式水洗トイレ装置１００の構成を備えかつ以下の構成を備えている。
【００４６】
給水ホース２０の先端の口及び排水ホース３０の先端の口は壁又は床に設置された給水用接続口８０及び排水用接続口９０にそれぞれ簡易接続されており、排水ホース３０の先端付近には水圧によって伸縮するドーナツ形状のゴム袋部２００が排水ホース３０を覆うように固定されている。
【００４７】
ゴム袋部２００は、図７に示すように、ゴム袋４０、加圧用ホース４２、減圧用ホース４４、繋ぎホース４６及び３方弁４８（図７において内部構造は省略）で構成され、３方弁４８の各方向に加圧用ホース４２、減圧用ホース４４、繋ぎホース４６が接続され、繋ぎホース４６の片側はゴム袋４０内部に接続され、減圧用ホース４４の片側は排水ホース３０の先端付近に設けた穴を通し、排水ホース３０の内部に接続されている。
【００４８】
なお給水ホース２０の途中には分岐コネクタ２２が挿入してあり、分岐コネクタ２２の一端と加圧用ホース４２は接続されている。
【００４９】
実施例２に係る移動式水洗トイレ装置１００のゴム袋４０はドーナツ形状をしているが、本発明はこれに限定されるものではない。図８は変形例に係るゴム袋５０、５２、５４、５６を説明するために示す図である。図８（a）に示すように、高さ方向に薄いドーナツ形状のものや、図８（b）、図８（c）のように所々に空間のあいた袋形状であっても良い。また図８（d）のように直線形状の袋を螺旋状に巻きつけたものであっても良い。
【００５０】
以上のように構成された実施例２に係る移動式水洗トイレ１１０によれば、実施例１の効果に加え、以下の効果を奏する。
【００５１】
（Ｄ）排水ホース３０の先端付近には水圧によって伸縮するドーナツ形状のゴム袋部２００が排水ホース３０を覆うように固定されていることを特徴とする。排水ホース３０の先端を排水用接続口９０に差し込み、ゴム袋４０内の水圧を高めることで、排水用接続口９０の内面にゴム袋４０の外面が密着し、容易に排水ホース３０と排水用接続口９０を固定することができる。
【００５２】
（Ｅ）また、ゴム袋４０内の水圧を弱めることで、排水用接続口９０から排水ホース３０を取り外すことができる。そのため装置自体の撤去がさらに容易となる。
【００５３】
（Ｆ）さらに、トイレ設置時には排水用接続口９０の内面にゴム袋４０の外面が密着しているため、防臭効果も期待できる。
【００５４】
（Ｈ）さらに、３方弁４８を切換ることにより、容易にゴム袋４０内の水圧を加圧及び減圧することができる。また減圧時にゴム袋４０内に溜まった水は減圧用ホース４４を介し、排水ホース３０内に送られるので、別途減圧用の排水処理に手間がかからない。
【００５５】
（Ｉ）さらに、排水用接続口９０に機械的な仕掛けを施すことで排水用接続口９０から排水ホース３０を容易に脱着させることも考えられるが、配管断面積を維持しつつ、機械的な仕掛けを施すと排水用接続口９０の外径が大きくなる。排水用接続口９０の施工には床又は壁に一部穴を開ける必要があるため、排水ホース３０側のみに仕掛け（ゴム袋部２００）を有することで最少の穴での施工が可能になる。
【００５６】
以上の通り、従来よりも軽量で撤去しやすい移動式水洗トイレ装置１１０が実現された。
【実施例３】
【００５７】
図９は、実施例３に係る移動式水洗トイレ装置１２０を説明するために示す図である。
図７は、実施例３に係る移動式水洗トイレ装置１２０のゴム袋部２００を説明するために示す図である。図７（b）はゴム袋部２００の断面図であり、図７（a）はゴム袋部２００の斜視図である。
【００５８】
実施例１に係る移動式水洗トイレ装置１２０は、図９に示すように。給水ホース２０及び排水ホース３０を接続した大便器１０を備えており、大便器１０の下部には移動部である化粧板１２と車輪１４を備える。
【００５９】
さらに、給水ホース２０の先端の口及び排水ホース３０の先端の口は壁又は床に設置された給水用接続口８０及び排水用接続口９０にそれぞれ簡易接続されており、排水ホース３０の先端付近には水圧によって伸縮するドーナツ形状のゴム袋部２００が排水ホース３０を覆うように固定されている。
【００６０】
実施例１に係る移動式水洗トイレ装置１００のゴム袋部２００は、図７に示すように、ゴム袋４０、加圧用ホース４２、減圧用ホース４４、繋ぎホース４６及び３方弁４８で構成され、３方弁４８の各方向に加圧用ホース４２、減圧用ホース４４、繋ぎホース４６が接続され、繋ぎホース４６の片側はゴム袋４０内部に接続され、減圧用ホース４４の片側は排水ホース３０の先端付近に設けた穴を通し、排水ホース３０の内部に接続されている。
【００６１】
なお給水ホース２０の途中には分岐コネクタ２２が挿入してあり、分岐コネクタの一端と加圧用ホース４２は接続されている。
【００６２】
排水ホース３０は内径７５ｍｍ程度、長さは３００ｍｍ〜４０００ｍｍ程度であり、柔軟なホースである。
【００６３】
大便器１０にある排水ホース３０の接続口中心高さは床から１５０ｍｍ程度である。
【００６４】
実施例１に係る移動式水洗トイレ装置１００のゴム袋４０はドーナツ形状をしているが、本発明はこれに限定されるものではない。図８は変形例に係るゴム袋５０、５２、５４、５６を説明するために示す図である。図８（a）に示すように、高さ方向に薄いドーナツ形状のものや、図８（b）、図８（c）のように所々に空間のあいた袋形状であっても良い。また図８（d）のように直線形状の袋を螺旋状に巻きつけたものであっても良い。
【００６５】
以上のように構成された実施例３に係る移動式水洗トイレ装置１２０によれば、
（Ｄ）排水ホース３０の先端を排水用接続口９０に差し込み、ゴム袋４０内の水圧を高めることで、排水用接続口４０の内面にゴム袋４０の外面が密着し、容易に排水ホース３０と排水用接続口９０を固定することができる。
【００６６】
（Ｅ）また、ゴム袋４０内の水圧を弱めることで、排水用接続口９０から排水ホース３０を取り外すことができる。そのため装置自体の撤去が容易となる。
【００６７】
（Ｆ）さらに、トイレ設置時には排水用接続口９０の内面にゴム袋４０の外面が密着しているため、防臭効果も期待できる。
【００６８】
（Ｇ）さらに、ポンプ等を有する必要がないので、軽量化できる。
【００６９】
（Ｈ）さらに、３方弁４８を切換ることにより、容易にゴム袋４０内の水圧を加圧及び減圧することができる。また減圧時にゴム袋４０内に溜まった水は減圧用ホース４４を介し、排水ホース３０内に送られるので、別途減圧用の排水処理に手間がかからない。
【００７０】
（Ｉ）さらに、排水用接続口９０に機械的な仕掛けを施すことで排水用接続口９０から排水ホース３０を容易に脱着させることも考えられるが、配管断面積を維持しつつ、機械的な仕掛けを施すと排水用接続口９０の外径が大きくなる。排水用接続口９０の施工には床又は壁に一部穴を開ける必要があるため、排水ホース３０側のみに仕掛け（ゴム袋部２００）を有することで最少の穴での施工が可能になる。
【００７１】
以上の通り、従来よりも軽量で撤去しやすい移動式水洗トイレ装置１２０が実現された。
【符号の説明】
【００７２】
１０…大便器、１２…化粧板、１４…車輪、２０…給水ホース、２２…分岐コネクタ、３０…排水ホース、４０,５０,５２,５４,５６…ゴム袋、４２…加圧用ホース、４４…減圧用ホース、４６…繋ぎホース、４８…３方弁、８０…給水用接続口、９０…排水用接続口、１００…移動式水洗トイレ装置、２００…ゴム袋部、３１０…フレーム本体、３１２…左側面プレート、３１４…右側面プレート、３１６…背面プレート、３２０,３５４…蓋部前方側プレート、３２２,３５２…蓋部後方側プレート、３２４…蝶番、３２６…カーテンレール、３２８…カーテン、３３０…ゴムストッパー、３３２…キャスター
【図１】
2011208359.tif 000003
【図２】
2011208359.tif 000004
【図３】
2011208359.tif 000005
【図４】
2011208359.tif 000006
【図５】
2011208359.tif 000007
【図６】
2011208359.tif 000008
【図７】
2011208359.tif 000009
【図８】
2011208359.tif 000010
【図９】
2011208359.tif 000011